(57)【特許請求の範囲】
【請求項１】
外壁に形成された開口部に、外周面に沿って取付けつば片が当該外周面の中間部分から垂直外方に張り出すようにして帯板状に突出する開口枠を取付けるための開口枠の取付け構造において、
前記開口部の周囲に設けた開口枠設置用角材の開口内周面に沿って、当該開口内周面の幅方向中間部分から内側に突出する矩形断面形状を有する固定用凸部が、当該開口内周面に沿って周方向に取付けられており、
前記開口枠設置用角材の屋外側に設置された外壁下地材の端部表面から、前記開口内周面及び少なくとも前記固定用凸部の屋外側の側面に沿った連続する断面形状を有するように、周方向に連続する防水用シート材料がこれらの面に沿って取付けられており、
前記開口枠は、前記防水用シート材料を挟み込みつつ前記固定用凸部の屋外側の側面又は屋内側の側面に前記帯板状の取付けつば片を接合固定することにより、外壁仕上面から外側に突出することなく取付けられている開口枠の取付け構造。
【請求項２】
前記固定用凸部は、前記開口内周面の全周に亘って取付けられている請求項１に記載の開口枠の取付け構造。
【請求項３】
前記防水用シート材料として、前記外壁下地材の端部表面から、前記開口内周面及び少なくとも前記固定用凸部の屋外側の側面に沿った連続する断面形状を備えるように立体形状に形成された防水用成形シートが用いられる請求項１又は２に記載の開口枠の取付け構造。
【請求項４】
前記防水用成形シートは、前記開口部の全周に亘って周方向に環状に連続するシート部材として形成されている請求項３に記載の開口枠の取付け構造。
【請求項５】
前記固定用凸部は、平板状の基盤部と、該基盤部の一方の面から一体として突出する矩形断面形状の突出凸部とからなる略Ｌ字断面形状部分を含む断面形状を備える角材接合部材を、前記開口枠設置用角材の開口内周面に前記基盤部の他方の面を密着させて接合固定することにより、前記開口内周面の幅方向中間部分から内側に突出して設けられている請求項１〜４のいずれか１項に記載の開口枠の取付け構造。
【請求項６】
前記角材接合部材は、金属材料、プラスチック材料、又は木製材料からなる請求項５に記載の開口枠の取付け構造。
【請求項７】
前記開口枠はアルミニウム製又は木製のサッシ枠である請求項１〜６のいずれか１項に記載の開口枠の取付け構造。
【発明の詳細な説明】
【技術分野】
【０００１】
本発明は、開口枠の取付け構造に関し、特に、外壁に形成された開口部に、外周面に沿って取付けつば片が突出するサッシ枠等の開口枠を取付けるための開口枠の取付け構造に関する。
【背景技術】
【０００２】
住宅建築物等の建物の外壁には、例えば窓、ドア、換気口等のための開口部が形成されており、これらの開口部にはサッシ枠等の開口枠が取り付けられていて、開口部の周縁部分を納まり良く仕上げることができるようになっている。またサッシ枠等の開口枠は、一般に外周面に沿って外方に突出する取付けつば片を備えており、この取付けつば片を介して、開口部の周囲に設けられた開口枠設置用の角材に、固定釘等を用いて直接又は間接的に固定されることになる（例えば、特許文献１、特許文献２参照）。
【０００３】
一方、近年、例えば２００年住宅といったものが提案されているように、耐久性に優れた住宅建築物等の建物の開発が要望されている。また、開口部が形成された建物の外壁については、開口枠として例えばアルミ製のサッシ枠が開発され、普及したことにより、その耐久性が向上したことが知られているが、アルミ製のサッシ枠の場合、その耐用年数は一般に３０年程度とされていることから、さらなる耐久性の追及が要望されている。
【特許文献１】特開２００３−７４１６４号公報
【特許文献２】特開２００５−３２０７４１号公報
【発明の開示】
【発明が解決しようとする課題】
【０００４】
開口部が形成された外壁の耐久性をさらに向上させるには、耐用年数の過ぎた開口枠を新しいものと容易に交換できるようにすることが考えられるが、従来の開口枠の取付け構造によれば、開口枠の取付け部分の屋外側に、当該取付け部分を覆って防止シート等の止水防止部材や外壁仕上げ材等が取付けられることから、建物にとって重要なこれらの構造躯体の被覆層を破壊して撤去する必要があり、また開口枠の交換後にこれらを再施工する必要があるため、多大な費用や多くの廃棄物を生じるばかりか、構造躯体に損傷を与える惧れもある。
【０００５】
また、例えば住宅建築物に用いられるアルミニウム製の一般的なサッシ枠の場合、その屋外側の部分が外壁の仕上面よりも外側に突出して設けられることになるため、外壁に沿って下方に流下する雨水等は、開口部の上縁部に至った後に、外壁から切れて外側に放たれるのではなく、サッシ枠の上面部に沿うようにして建物の内側方向へ導かれ易くなることにより、屋内側への漏水リスクが高くなる。
【０００６】
本発明は、開口枠の周囲に取り付けた止水防止部材や外壁仕上げ材等に大きな影響を及ぼすことなく、開口枠を容易且つスムーズに交換することができると共に、開口枠を外壁の仕上面よりも屋外側に突出させることなく取付けることのできる開口枠の取付け構造を提供することを目的とする。
【課題を解決するための手段】
【０００７】
本発明は、外壁に形成された開口部に、外周面に沿って取付けつば片が当該外周面の中間部分から垂直外方に張り出すようにして帯板状に突出する開口枠を取付けるための開口枠の取付け構造において、前記開口部の周囲に設けた開口枠設置用角材の開口内周面に沿って、当該開口内周面の幅方向中間部分から内側に突出する矩形断面形状を有する固定用凸部が、当該開口内周面に沿って周方向に取付けられており、前記開口枠設置用角材の屋外側に設置された外壁下地材の端部表面から、前記開口内周面及び少なくとも前記固定用凸部の屋外側の側面に沿った連続する断面形状を有するように、周方向に連続する防水用シート材料がこれらの面に沿って取付けられており、前記開口枠は、前記防水用シート材料を挟み込みつつ前記固定用凸部の屋外側の側面又は屋内側の側面に前記帯板状の取付けつば片を接合固定することにより、外壁仕上面から外側に突出することなく取付けられている開口枠の取付け構造を提供することにより、上記目的を達成したものである。
【０００８】
そして、本発明の開口枠の取付け構造によれば、前記固定用凸部は、前記開口内周面の全周に亘って取付けられていることが好ましい。
【０００９】
また、本発明の開口枠の取付け構造によれば、前記防水用シート材料として、前記外壁下地材の端部表面から、前記開口内周面及び少なくとも前記固定用凸部の屋外側の側面に沿った連続する断面形状を備えるように立体形状に形成された防水用成形シートを用いることが好ましい。
【００１０】
さらに、本発明の開口枠の取付け構造によれば、前記防水用成形シートは、前記開口部の全周に亘って周方向に環状に連続するシート部材として形成されていることが好ましい。
【００１１】
さらにまた、本発明の開口枠の取付け構造によれば、前記固定用凸部は、平板状の基盤部と、該基盤部の一方の面から一体として突出する矩形断面形状の突出凸部とからなる略Ｌ字断面形状部分を含む断面形状を備える角材接合部材を、前記開口枠設置用角材の開口内周面に前記基盤部の他方の面を密着させて接合固定することにより、前記開口内周面の幅方向中間部分から内側に突出して設けられていることが好ましい。
【００１２】
また、本発明の開口枠の取付け構造によれば、前記角材接合部材は、金属材料、プラスチック材料、又は木製材料からなることが好ましい。
【００１３】
さらに、本発明の開口枠の取付け構造によれば、前記開口枠はアルミニウム製又は木製のサッシ枠であることが好ましい。
【発明の効果】
【００１４】
本発明の開口枠の取付け構造によれば、開口枠の周囲に取り付けた止水防止部材や外壁仕上げ材等に大きな影響を及ぼすことなく、開口枠を容易且つスムーズに交換することができると共に、開口枠を外壁の仕上面よりも屋外側に突出させることなく取付けることができる。
【発明を実施するための最良の形態】
【００１５】
図１に示す本発明の好ましい第１実施形態に係る開口枠の取付け構造１０は、建物として例えば住宅建築物の外壁１１に設けられた開口部としての矩形形状の窓用開口１２に、好ましくはアルミニウム製のサッシ枠１３を開口枠として取付ける際の取付け構造として採用され、例えば住宅建築物が構築後に３０年以上経緯して、サッシ枠１３の耐用年数が経過した後に、サッシ枠１３の周囲の構造をできるだけそのままの状態に保持しつつ、サッシ枠１３を容易且つスムーズに交換することを可能にするものである。
【００１６】
そして、本第１実施形態の開口枠の取付け構造１０は、外壁１１に形成された窓用開口１２に、外周面に沿って取付けつば片１４が当該外周面の中間部分から垂直外方に張り出すようにして帯板状に突出するサッシ枠１３を取付けるための取付け構造において、窓用開口１２の周囲に設けた開口枠設置用角材１５の開口内周面１５ａに沿って、当該開口内周面１５ａの幅方向中間部分から内側に突出する矩形断面形状を有する固定用凸部１６が、好ましくは当該開口内周面１５ａの周方向に沿って全周に亘って取付けられており、開口枠設置用角材１５の屋外側に設置された外壁下地材１７の端部表面１７ａから、開口内周面１５ａ及び少なくとも固定用凸部１６の屋外側の側面１６ａに沿った連続する断面形状を有するように、防水用シート材料１８がこれらの面に沿って取付けられている。またサッシ枠１３は、固定用凸部１６の内側端面１６ｂ及び屋内側の側面１６ｃまで延設して設けられた防水用シート材料１８の端の部分を挟み込みつつ、固定用凸部１６の屋内側の側面１６ｃに帯板状の取付けつば片１４を接合固定することにより、外壁仕上面１１ａから外側に突出することなく取付けられている。
【００１７】
また、本第１実施形態では、防水用シート材料１８として、好ましくは外壁下地材１７の端部表面１７ａから、開口枠設置用角材１５の開口内周面１５ａ、及び固定用凸部１６の屋外側の側面１６ａ、内側端面１６ｂ及び屋内側の側面１６ｃに沿った連続する断面形状を備えるように立体形状の形成された防水用成形シート１９（図２（ｂ）参照）が用いられている。
【００１８】
さらに、本第１実施形態では、固定用凸部１６は、平板状の基盤部２０ａと、基盤部２０ａの一方の面から一体として突出する矩形断面形状の突出凸部２０ｂとからなる略Ｌ字断面形状部分を含む断面形状を備える角材接合部材２０（図２（ａ）参照）を、開口枠設置用角材１５の開口内周面１５ａに基盤部２０ａの他方の面を密着させて接合固定することにより、開口内周面１５ａの幅方向中間部分から内側に突出して設けられている。
【００１９】
本第１実施形態では、外壁１１に形成された矩形形状の窓用開口１２を囲んでこれの周囲には、開口枠設置用角材１５が、上下に一対水平方向に、左右に一対垂直方向に各々延設して設けられている。また、本第１実施形態では、開口枠設置用角材１５の屋外側には、外壁下地材１７が、当該開口枠設置用角材１５及び周囲の骨組部材に支持された状態で取り付けられている。外壁下地材１７の屋外側の表面には、例えばポリオレフィン系樹脂からなる公知の各種の防水シート２１が、これの全面を覆って敷設されている。そして、防水シート２１の屋外側には、後述するように、ラスモルタルによる外壁仕上げ材２２が形成されることになる。
【００２０】
ここで、本第１実施形態では、外壁下地材１７として、好ましくは図５に示すような、例えば特開２０００−１６０７３２号公報に記載のパネル部材と同様の構成を備える、間隔をおいて平行に配置された複数の表側帯状小幅板２３ａと、間隔をおいて平行に配置された複数の裏側帯状小幅板２３ｂとを互いに交差させた状態で接合一体化してなる壁下地パネル２３が用いられている。このような壁下地パネル２３は、各帯状小幅板２３ａ，２３ｂ間の間隔部分を経て空気を上昇させることにより十分な通気を確保することが可能な通気層を、外壁仕上げ材２２の背面側に形成することができ、また相反する方向に傾斜させた各帯状小幅板２３ａ，２３ｂを筋交いのように機能させて、構造用耐力部材としての所望の強度が得られるようになっている。
【００２１】
また、開口枠設置用角材１５に支持されて窓用開口１２に取付けられるサッシ枠１３としては、好ましくはアルミニウム製の公知の各種のサッシ枠を用いることができる。本第１実施形態では、サッシ枠１３は、窓用開口１２の内側に納まる大きさの矩形枠形状を有していると共に、その外周面の中間部分から垂直外方に張り出すようにして、取付けつば片１４が、全周に亘って周方向に連続して設けられている。図１に示すように、この取付けつば片１４を、開口枠設置用角材１５の開口内周面１５ａから突出する固定用凸部１６に固定することにより、サッシ枠１３は、窓用開口１２に嵌め込まれるようにして取付けられることになる。
【００２２】
そして、本第１実施形態では、サッシ枠１３の取付けつば片１４を固定するための固定用凸部１６は、開口枠設置用角材１５の開口内周面１５ａに沿って角材接合部材２０を取付けることにより、この角材接合部材２０の突出凸部２０ｂによって、開口内周面１５ａの全周に亘って内方に突出した状態で、ビス等によるサッシ枠１３の固定保持力を十分に確保できるように設置されることになる。
【００２３】
ここで、角材接合部材２０は、図２（ａ）に示すように、例えば金属製の板部材を折曲げ加工することにより、平板状の基盤部２０ａと、基盤部２０ａの一方の面から突出する中空の矩形断面形状の突出凸部２０ｂとからなる略Ｌ字断面形状を有するように形成される。角材接合部材２０は、接着剤や固定ビス２４等を用いることにより、開口内周面１５ａに基盤部２０ａの他方の面を密着させた状態で、開口枠設置用角材１５に強固に接合固定されることになる。これによって、例えば突出高さが５０ｍｍ程度、突出幅が３５ｍｍ程度の矩形断面形状を有する突出凸部２０ｂによる固定用凸部１６が、例えば１０５ｍｍ程度の幅を有する開口枠設置用角材１５の開口内周面１５ａの略中央において、開口内周面１５ａの周方向に連続して設けられることになる。
【００２４】
また、本第１実施形態では、図１に示すように、透湿防水シート２１が敷設された外壁下地材１７の端部表面１７ａから、開口枠設置用角材１５の開口内周面１５ａ、及び少なくとも固定用凸部１６の屋外側の側面１６ａ（本第１実施形態では、固定用凸部１６の屋外側の側面１６ａ、内側端面１６ｂ、及び屋内側の側面１６ｃ）に沿った連続する断面形状を有するように、周方向に連続する防水用シート材料１８がこれらの面に沿って取付けられている。本第１実施形態では、防水用シート材料１８は、これらの面に沿った連続する断面形状を備えるように、立体形状に予め形成された防水用成形シート１９によって構成されている。
【００２５】
防水用成形シート１９は、図２（ｂ）に示すように、例えば立体形状を保持できる程度の剛性を備える０．３〜２．０ｍｍ程度の厚さのポリプロピレン、クロロプレンゴム、シリコンゴム、塩化ビニル等の合成樹脂材料からなり、押し出し成形、プレス成形、折曲げ成形等の公知の成形方法を用いて、所望の形状に加工して得られるものである。本第１実施形態では、防水用成形シート１９は、外壁下地材１７の端部表面１７ａから、開口枠設置用角材１５の開口内周面１５ａ、及び固定用凸部１６の屋外側の側面１６ａ、内側端面１６ｂ及び屋内側の側面１６ｃに沿った連続する断面形状を備えるように成形され、接着剤やタッカー等を用いることにより、これらの面に沿って密着した状態で接合固定されることになる。
【００２６】
ここで、防水用成形シート１９には、水を吸収して膨潤する機能を有する例えばセルロース・アクリルニトリル重合体等からなる吸水性樹脂（高吸水性ポリマー）をコーティングしておくこともできる。防水用成形シート１９に吸水性樹脂をコーティングしておくことにより、当該防水用成形シート１９を止め付けるためのタッカー等による釘孔に対する自己補修性能を発揮させて、開口部廻りの止水性をさらに向上させることが可能になる。
【００２７】
また、防水用成形シート１９は、矩形形状の窓用開口１２の全周に亘って環状に連続するシート部材として、一体として成形して用いることが好ましい。防水用成形シート１９を環状に連続するシート部材として用いることにより、開口枠設置用角材１５の開口内周面１５ａに沿って取付けられる防水用シート材料１８に継手部が存在しないことになり、これによって継手部における止水性の劣化を回避して、長期間に亘って安定した状態で開口部廻りの止水性を確保することが可能になる。
【００２８】
さらに、本第１実施形態では、図１に示すように、防水用成形シート１９が取付けられた固定用凸部１６に支持させるようにして、サッシ枠１３が、外壁１１の窓用開口１２に屋内側から取付けられる。すなわち、サッシ枠１３の取付けつば片１４を、防水用成形シート１９の端の部分が接合された固定用凸部１６の屋内側の側面１６ｃに、ビス等の固定金物を用いて、当該防水用成形シート１９を挟み込むようにしなが接合固定する。これによって、例えば１００ｍｍ程度の幅を有するサッシ枠１３が、開口枠設置用角材１５の開口内周面１５ａの幅方向の略中央に配置された状態で、開口枠設置用角材１５の屋外側の面から外側にはみ出すことなく窓用開口１２に設置されることになる。
【００２９】
さらにまた、本第１実施形態では、サッシ枠１３を取り付けたら、外壁下地材１７の屋外側には、外壁仕上げ材２２が施工されると共に、外壁１１の屋内側に内装材２５が施工される。すなわち、外壁下地材１７の屋外側には、ラス網２６を取付けた後に、モルタルを塗着して、ラスモルタルによる外壁仕上げ材２２が形成される。外壁１１の屋内側には、各種の内装用パネル等を取付けて内装材２５が設置される。また、ラスモルタルによる外壁仕上げ材２２と設置したサッシ枠１３の外周面との間の隙間には、シーリング材２７が充填されると共に、窓用開口１２の下辺部分には、水切り部材（図示せず。）が適宜取付けられる。さらに、外壁１１の屋内側に設置した内装材２５とサッシ枠１３の外周面との間の隙間には、額縁部材２８が取付けられる。
【００３０】
そして、上述の構成を有する本第１実施形態の開口枠の取付け構造１０によれば、サッシ枠１３の周囲に取り付けられた透湿防水シート２１や外壁仕上げ材２２等に大きな影響を及ぼすことなく、サッシ枠１３を容易且つスムーズに交換することが可能になると共に、サッシ枠１３を外壁１１の仕上面よりも屋外側に突出させることなく取付けることが可能になる。
【００３１】
すなわち、本第１実施形態によれば、開口枠設置用角材１５の開口内周面１５ａに固定用凸部１６が取付けられており、サッシ枠１３は、これの取付けつば片１４を、防水用シート材料１８を挟み込みつつ固定用凸部１６の屋内側の側面１６ｃに接合固定することにより窓用開口１２に取付けられているので、例えば外壁１１の屋内側から額縁部材２８を取外すことにより露出させたサッシ枠１３の取付けつば片１４を、固定用凸部１６から取外してサッシ枠１３を撤去した後に、新しいサッシ枠１３を取付け直すだけの簡単な工事によって、外壁下地材１７の屋外側に設けられた透湿防水シート２１や外壁仕上げ材２２等を撤去等することなく、容易且つスムーズにサッシ枠１３を交換することが可能になる。
【００３２】
また、サッシ枠１３の取付けつば片１４を、開口枠設置用角材１５の開口内周面１５ａから内方に突出する固定用凸部１６に接合固定するので、取付けつば片１４を開口内周面１５ａの略中央部分に配置することが可能になり、これによってサッシ枠１３を、開口枠設置用角材１５の屋外側の面や外壁仕上げ材２２よる外壁１１の仕上面よりも屋外側に突出させることなく、容易に取付けることが可能になる。
【００３３】
図３は、本発明の好ましい第２実施形態に係る開口枠の取付け構造３０を示すものである。本第２実施形態によれば、上記第１実施形態の取付け構造３０と略同様の構成を備える一方で、サッシ枠１３の取付けつば片１４が、外壁１１の屋外側から、防水用シート材料１８を挟み込みつつ固定用凸部１６の屋外側の側面１６ａに接合固定されることにより、サッシ枠１３が外壁仕上げ材２２による外壁仕上面から外側に突出することなく取付けられている。
【００３４】
すなわち、本第２実施形態によれば、上記第１実施形態の金属製の板部材からなる角材接合部材２０に代えて、図４（ａ）に示すように、平板状の基盤部３２ａと、基盤部３２ａの一方の面から突出する矩形断面形状の突出凸部３２ｂとからなる、合成樹脂製の略Ｌ字断面形状を有する開口枠設置用角材３２が、長尺の固定ビス３３等を用いて開口枠設置用角材１５に接合固定されて用いられている（図３参照）。また、上記第１実施形態の防水用成形シート１９に代えて、図４（ｂ）に示すように、外壁下地材１７の端部表面１７ａから、開口枠設置用角材１５の開口内周面１５ａ、及び固定用凸部１６の屋外側の側面１６ａ及び内側端面１６ｂに沿った連続する断面形状を備えるように成形された防水用成形シート３１が、防水用シート材料１８として用いられている。
【００３５】
さらに、本第２実施形態によれば、図３に示すように、サッシ枠１３は、その取付けつば片１４を、固定用凸部１６の屋外側の側面１６ａに、防水用成形シート３１を挟み込むようにしなが接合固定することによって、外壁仕上げ材２２による外壁仕上面から外側にはみ出すことなく窓用開口１２に設置されることになる。さらにまた、取り付けられたサッシ枠１３の取付けつば片１４よりも屋外側の外周面と、開口枠設置用角材１５の開口内周面１５ａ及びラスモルタルによる外壁仕上げ材２２の端面との間の隙間には、屋外側額縁部材３４が取付けられる。
【００３６】
そして、本第２実施形態の開口枠の取付け構造３０によっても、例えば外壁１１の屋外側から屋外側額縁部材３４を取外すことにより露出させたサッシ枠１３の取付けつば片１４を、固定用凸部１６から取外してサッシ枠１３を撤去した後に、新しいサッシ枠１３を取付け直すだけの簡単な工事によって、容易且つスムーズにサッシ枠１３を交換することが可能になり、上記第１実施形態と同様の作用効果を奏することになる。
【００３７】
なお、本発明は上記各実施形態に限定されることなく種々の変更が可能である。例えば、防水用シート材料として、所望の立体形状の連続断面を備えるように予め形成された防水用成形シートを用いる必要は必ずしも無く、作業現場において防水用シート材料を開口内周面や固定用凸部の屋外側の側面に沿わせるように取り付けて用いることもできる。また、固定用凸部は、略Ｌ字断面形状の角材接合部材を開口枠設置用角材の開口内周面に接合固定して設ける必要は必ずしもなく、角材接合部材は、例えばＴ字形の断面形状を備えていても良い。さらに、固定用凸部は、開口内周面の全周に亘って取付ける必要は必ずしも無く、開口枠は木製のサッシ枠等であっても良い。
【図面の簡単な説明】
【００３８】
【図１】本実施形態の好ましい第１実施形態に係る開口枠の取付け構造の構成を説明する一部破断略示断面図である。
【図２】（ａ）は、第１実施形態の開口枠の取付け構造において用いた角材接合部材の断面図、（ｂ）は、同防水用成形シートの断面図である。
【図３】本実施形態の好ましい第２実施形態に係る開口枠の取付け構造の構成を説明する一部破断略示断面図である。
【図４】（ａ）は、第２実施形態の開口枠の取付け構造において用いた角材接合部材の断面図、（ｂ）は、同防水用成形シートの断面図である。
【図５】各実施形態において外壁下地材として用いた壁下地パネルの正面図である。
【符号の説明】
【００３９】
１０，３０  開口枠の取付け構造
１１  外壁
１１ａ  外壁仕上面
１２  窓用開口
１３  サッシ枠（開口枠）
１４  取付けつば片
１５  開口枠設置用角材
１５ａ  開口枠設置用角材の開口内周面
１６  固定用凸部
１６ａ  固定用凸部の屋外側の側面
１６ｂ  固定用凸部の内側端面
１６ｃ  固定用凸部の屋内側の側面
１７  外壁下地材
１７ａ  外壁下地材の端部表面
１８  防水用シート材料
１９，３１  防水用成形シート
２０，３２  角材接合部材
２１  防水シート
２２  外壁仕上げ材
２５  内装材
２８  額縁部材
３４  屋外側額縁部材
【図１】
0005172459.tif 000002
【図２】
0005172459.tif 000003
【図３】
0005172459.tif 000004
【図４】
0005172459.tif 000005
【図５】
0005172459.tif 000006